(57)【要約】【課題】ピックアップがシャーシに衝突して移動が阻止された場合等に、複雑な構成を必要とすることなく、リードスクリューとラックとの間の過剰な摩擦の発生を抑制し得るピックアップ移動装置を提供する。【解決手段】本発明のピックアップ移動装置は、ピックアップを保持するホルダ１に一端を支持された弾性を有するアーム部６ａと、アーム部６ａの他端に設けられたラック部６ｂとを備えるアーム部材６を有している。ラック部６ｂはリードスクリュー３に係合し、この係合状態を得るために、リードスクリュー３を押圧する方向への、アーム部６ａの変位を規制する規制部材を有している。【選択図】  図１
2004318936.tif 000002
【特許請求の範囲】
【請求項１】
ピックアップを保持する保持部材に一端を支持された弾性を有するアーム部と、該アーム部の他端に設けられたラック部とを備えるアーム部材が、上記ラック部にて、モータからの駆動力を受けて回転する送りネジ部材に係合しているピックアップ移動装置において、
上記ラック部と送りネジ部材とが係合するように該送りネジ部材を押圧する方向への、アーム部の変位を規制する規制部材を有していることを特徴とするピックアップ移動装置。
【請求項２】
上記規制部材は、上記アーム部が自由状態である場合に、上記ラック部の送りネジ部材を押圧する方向への変位を規制することを特徴とする請求項１記載のピックアップ移動装置。
【請求項３】
上記規制部材は、上記アーム部に一体的に形成されてなることを特徴とする請求項１又は２記載のピックアップ移動装置。
【請求項４】
上記規制部材は、上記保持部材に一体的に形成されてなることを特徴とする請求項１又は２記載のピックアップ移動装置。
【発明の詳細な説明】
【０００１】
【発明の属する技術分野】
本発明は、光ディスクや光磁気ディスク等のディスクに対する記録再生に用いられるピックアップを移動させるためのピックアップ移動装置に関するものである。
【０００２】
【従来の技術】
光ディスクは、大容量の情報の記憶が可能であるとともに、記録再生装置等への装着あるいはディスクの交換が容易であるといった利点を有するため、記録媒体として幅広く用いられている。例えば、上記光ディスクとしては、再生専用のＣＤ（Ｃｏｍｐａｃｔ  ｄｉｓｋ）、書込みが可能なＣＤ−Ｒ（Ｃｏｍｐａｃｔ  ｄｉｓｋ−Ｒｅｃｏｒｄａｂｌｅ）、書換えが可能なＣＤ−ＲＷ（Ｃｏｍｐａｃｔ  ｄｉｓｋ  ＲｅＷｒｉｔａｂｌｅ），ＤＶＤ−ＲＷ（Ｄｉｇｉｔａｌ  Ｖｅｒｓａｔｉｌｅ  Ｄｉｓｃ  ＲｅＷｒｉｔａｂｌｅ），ＤＶＤ−ＲＡＭ（Ｄｉｇｉｔａｌ  Ｖｅｒｓａｔｉｌｅ  Ｄｉｓｃ  Ｒａｎｄｏｍ  Ａｃｃｅｓｓ  Ｍｅｍｏｒｙ）等、種々の規格のディスクが開発されており、記憶容量や使用目的等に応じて、様々なディスクが用いられている。
【０００３】
上記光ディスクの記録再生を行う記録再生装置では、一般的に、光ディスクに記録されている情報を読取るための光ピックアップが備えられている。該光ピックアップは、光ディスク上の情報が記録された位置に追従して移動が可能となるように、光ディスクの半径方向への移動が要求されている。このような光ピックアップの移動を可能とするために、従来より種々の移動方式のピックアップ送り機構が提案されているが、光ピックアップの小型化や省スペース化等の要求に応える場合には、ネジ送り方式によるピックアップ送り機構が用いられることが多い。ネジ送り方式では、ネジ溝を有するリードスクリューをモータに接続して回転駆動することによって、リードスクリューに係合したラックが、リードスクリューの軸方向へ直線移動することを利用して、光ピックアップの移動を行っている。
【０００４】
ネジ送り方式を利用したピックアップ送り機構では、リードスクリューとラックとの係合状態が解除されると、光ピックアップの移動が困難となる。そのため、リードスクリューとラックとの良好な係合状態を維持するために、リードスクリューからラックが離脱しないようにする技術が提案されている。
【０００５】
例えば、特許文献１に記載のピックアップ送り機構では、リードスクリューにラックを押し付けるための弾性体からなる押圧手段と、該押圧手段の弾性変形を所定範囲に規制する規制手段とを設けている。これにより、リードスクリューのネジ溝をラックが摺動しても、押圧手段及び規制手段によって、ラックがリードスクリューに押し当てられるので、リードスクリューからラックが離脱することを防止することができる。
【０００６】
また、特許文献２に記載のピックアップ送り機構では、リードスクリューにラックを押し付けるリミッタばねを設けている。そのため、リミッタばねがラックに対して荷重を加えることによって、リードスクリューにラックを押し当てることができるので、リードスクリューからラックが離脱することを防止することができる。
【０００７】
【特許文献１】
実開昭６２−９０４６５号公報（公開日：昭和６２（１９８７）年６月１０日）
【０００８】
【特許文献２】
特開平８−２４９８３８号公報（公開日：平成８（１９９６）年９月２７日）
【０００９】
【特許文献３】
特開平７−２７２２８８号公報（公開日：平成７（１９９５）年１０月２０日）
【００１０】
【発明が解決しようとする課題】
ところで、ピックアップ送り機構では、稀に、システム異常等により、光ピックアップがシャーシ等に突き当たって移動が阻止され、リードスクリューとラックとの係合状態が解除されてしまうことがある。このような場合に、モータの回転が停止せず、リードスクリューが回転駆動されると、上記従来のピックアップ送り機構では、リードスクリューやラック、モータ等に破損が生じる可能性があるという問題を有している。
【００１１】
すなわち、特許文献１に記載のピックアップ送り機構では、光ピックアップの移動が阻止されて、リードスクリューとラックとの係合状態が解除されても、規制手段が、ラックをリードスクリューに圧接させることになる。そのため、リードスクリューとラックとの間に過剰な力が加えられることになり、リードスクリューのネジ山の潰れやラックの磨耗等、リードスクリューやラックに破損が生じる可能性がある。特に、モータとリードスクリューとの間に、モータの回転を減速させる減速機構が組み込まれている場合、リードスクリューに発生するトルクが非常に大きくなるので、リードスクリューやラック、モータに生じる破損の危険性は高い。
【００１２】
また、特許文献２に記載のピックアップ送り機構では、リミッタばねがラックに対して荷重を加える構成であるため、光ピックアップの移動が阻止されてもリードスクリューが回転駆動していれば、リードスクリューにラックが押し付けられることになる。それゆえ、リードスクリューとラックとの係合状態が解除されても、リードスクリューがラックを押圧するので、リードスクリューとラックとの間の摩擦が大きくなる。その結果、リードスクリューやラックが磨耗によって、破損してしまうという問題を生じる。
【００１３】
一方、上記のように、光ピックアップがシャーシ等に突き当たって移動が阻止された場合に、リードスクリューとラックとの間に生じる摩擦を回避し、該リードスクリューやラックが破損することを防止するためのピックアップ送り機構が提案されている（例えば、特許文献３）。
【００１４】
特許文献３に記載のピックアップ送り機構では、上記ラックに代えて送り用ナットを用い、該送り用ナットの回転に対して適当な負荷を付与する弾性部材を設け、該弾性部材によって送り用ナットの回転を制御している。つまり、光ピックアップを移動させる場合には、リードスクリューと送り用ナットとの摩擦抵抗よりも大きい負荷が弾性部材によって付与されているので、リードスクリューの回転に伴う送り用ナットの回転が阻止される。これにより、送り用ナットは、リードスクリューの回転とともに回転せず、リードスクリューに沿って移動する。これに対し、光ピックアップの移動が阻止され、リードスクリューが未だ回転している場合には、送り用ナットの移動が阻止されるため、リードスクリューと送り用ナットとの摩擦力が高まる。その結果、リードスクリューと送り用ナットとの摩擦抵抗が、弾性部材が送り用ナットに付与していた負荷に打ち勝ち、送り用ナットがリードスクリューとともに回転する。
【００１５】
このように、上記特許文献３に記載のピックアップ送り機構では、光ピックアップの移動の有無に応じて、送り用ナットの回転を制御することができるので、送り用ナットとリードスクリューとの間の磨耗を低減し、リードスクリューやラックの破損を防止することができる。
【００１６】
しかしながら、上記特許文献３に記載のように、弾性部材による負荷を利用して、送り用ナットの回転を制御するためには、弾性部材によって送り用ナットに付与される負荷の大きさが重要となる。つまり、光ピックアップの移動時には送り用ナットの回転を阻止し、光ピックアップの移動が阻止された場合には送り用ナットを回転させるように、負荷の大きさを設定しなければならず、光ピックアップの移動の有無に応じた負荷の設定は容易ではないという問題がある。
【００１７】
本発明は、上記従来の問題点を解決するためになされたものであって、その目的は、ピックアップがシャーシに衝突して移動が阻止された場合等のシステム異常時に、複雑な構成を必要とすることなく、リードスクリューとラックとの間の過剰な摩擦の発生を抑制し得るピックアップ移動装置を提供することにある。
【００１８】
【課題を解決するための手段】
本発明のピックアップ移動装置は、上記課題を解決するために、ピックアップを保持する保持部材に一端を支持された弾性を有するアーム部と、該アーム部の他端に設けられたラック部とを備えるアーム部材が、上記ラック部にて、モータからの駆動力を受けて回転する送りネジ部材に係合しているピックアップ移動装置において、上記ラック部と送りネジ部材とが係合するように該送りネジ部材を押圧する方向への、アーム部の変位を規制する規制部材を有していることを特徴としている。
【００１９】
上記の構成によれば、弾性を有するアーム部を用いることによって、所定の押圧荷重を付与して、上記ラック部の係合部が送りネジ部材に係合している。つまり、ラック部と送りネジ部材とを係合させるために、アーム部を弾性的に変形させて、所定の押圧荷重を付与している。そのため、所定の押圧荷重を得るためにアーム部の形状の変形量を大きくすると、ラック部と送りネジ部材とが係合しないような位置に、ラック部が配置される可能性がある。
【００２０】
そこで、本発明のピックアップ装置では、規制部材を設けることによって、送りネジ部材を押圧する方向へのアーム部の移動を所定範囲内に規制している。これにより、所定の押圧荷重を付与するために、アーム部を弾性的に変形させても、ラック部と送りネジ部材との係合が可能な位置に、ラック部を配置することができる。
【００２１】
また、送りネジ部材にラック部を押圧させるための規制手段（特許文献１）やリミッタばね（特許文献２）を備えていないため、システム異常等により、ラック部と送りネジ部材とが係合していない状態で接触しても、ラック部が送りネジ部材を押圧する際の押圧荷重が急激に増加することはない。言い換えれば、弾性を有するアーム部によって、押圧荷重を制御しているので、ラック部と送りネジ部材とが係合していない状態で接触しても、アーム部が弾性変形することによって、ラック部と送りネジ部材との間の押圧荷重をほぼ一定に保つことができる。
【００２２】
従って、本発明のピックアップ移動装置は、弾性を有するアーム部の形状変形を利用し、かつ、規制部材を設けるという簡単な構成で、システム異常時等に、ラック部と送りネジ部材とが係合していない状態で接触しても、ラック部と送りネジ部材との間の摩擦を低減し、ラック部及び送りネジ部材が磨耗することを防止することができる。
【００２３】
また、本発明のピックアップ移動装置は、上記のピックアップ移動装置において、上記規制部材は、上記アーム部が自由状態である場合に、上記ラック部の送りネジ部材を押圧する方向への変位を規制することを特徴としている。
【００２４】
上記自由状態とは、アーム部の一端が保持部材に支持され、他端に設けられたラック部と送りネジ部材とが接触していない状態をいう。
【００２５】
上記の構成によれば、システム異常時等に、ラック部と送りネジ部材との係合状態が解除され、ラック部が送りネジ部材から離脱した場合の、ラック部の送りネジ部材を押圧する方向への変位が、規制部材によって規制されている。そのため、システム異常時に、ラック部が送りネジ部材から離脱して、アーム部が自由状態となっても、再び、ラック部と送りネジ部材とを係合させることが可能となる位置に、ラック部を配置させることができる。このように、ラック部の配置位置が規制されているので、アーム部が自由状態となっても、ラック部と送りネジ部材とを容易に係合させることができる。
【００２６】
また、本発明のピックアップ移動装置は、上記のピックアップ移動装置において、上記規制部材は、上記アーム部材に一体的に形成されてなることを特徴としている。
【００２７】
上記の構成によれば、規制部材がアーム部材に一体的に設けられている。これにより、アーム部材を保持部材に取付ける際に、ラック部の係合部を送りネジ部材に、容易に対向させることができる。つまり、本発明のピックアップ移動装置では、アーム部の形状を変形させた状態で、アーム部材を保持部材及び送りネジ部材に取付ける必要がある。規制部材は、上記したように、ラック部の係合部が送り部材に対向するようにラック部の位置を規制し、アーム部の形状変形を制御している。
【００２８】
従って、規制部材がアーム部材に一体的に設けられていれば、ラック部を送りネジ部材に、容易に対向させることが可能となる。その結果、ラック部と送りネジ部材とを容易に係合させることができるので、アーム部材の保持部材及び送りネジ部材への取付けにおける作業性を向上することができる。
【００２９】
また、本発明のピックアップ移動装置は、上記のピックアップ移動装置において、上記規制部材は、上記保持部材に一体的に形成されてなることを特徴としている。
【００３０】
上記の構成によれば、規制部材が保持部材と一体的に形成されている。そのため、規制部材と保持部材とが一体化しているので、部品点数を削減することができる。
【００３１】
【発明の実施の形態】
本発明の実施の一形態について図１ないし図５に基づいて説明すれば、以下の通りである。
【００３２】
本実施の形態のピックアップ移動装置は、図２に示すように、記録媒体であるディスク１０上の情報の読取り、又は、ディスク１０上への情報の書込み（以下、情報の記録再生と総称する）を行うために、ネジ送り方式によって、記録及び／又は再生用のヘッド等のピックアップをディスク１０の径方向へ移動させるものである。
【００３３】
ネジ送り方式によるピックアップの移動を実現するために、上記ピックアップ移動装置は、ディスク１０を回転させるためのスピンドルモータ１１を固定するシャーシ８に設けられ、ピックアップを保持するホルダ（保持部材）１と、モータ２と、リードスクリュー（送りネジ部材）３と、ギアユニット４と、アーム部材６と、一対のガイド軸９と、図１に示す規制部材７とを有している。
【００３４】
上記ホルダ１は、図１に示すように、ディスク１０に対して情報の記録再生を行うためのピックアップを保持するとともに、一対のガイド軸９に沿って移動可能となるように支持されている。この一対のガイド軸９は、上記ホルダ１をディスク１０の径方向に案内する。
【００３５】
リードスクリュー３は、図３に示すように、上記ホルダ１をディスク１０の径方向に移動させるためのネジ部材であり、モータ２の駆動を受けて回転駆動することにより、ホルダ１の移動を可能にしている。ここで、モータ２の駆動力は、該モータ２の回転数を減少させる減速用のギアユニット４（図２）を介して、リードスクリュー３に伝達される。
【００３６】
すなわち、ギアユニット４は、図２に示すように、モータ２の回転に同期して回転するように設けられたモータ側ギア４ａと、該モータ側ギア４ａに係合するとともに、モータ側ギア４ａの回転軸に同期してリードスクリュー３が回転するように設けられたリードスクリュー側ギア４ｂとを有している。そのため、モータ２が駆動してモータ側ギア４ａが回転すると、該モータ側ギア４ａに噛み合ったリードスクリュー側ギア４ｂが回転する。そして、このリードスクリュー側ギア４ｂの回転に同期して、リードスクリュー３が回転することになる。
【００３７】
アーム部材６は、図１に示すように、例えばＳＵＳやＢｅＣｕ等の金属製のアーム部６ａと、例えば合成樹脂等の樹脂によって形成されたラック部６ｂとを有している。アーム部６ａの一端は、ホルダ１に取付けられ、もう一方の端部（以下、他端と記載する）には、ラック部６ｂが取付けられ、該ラック部６ｂは、係合部６ｃにて上記リードスクリュー３のネジ溝に係合している。
【００３８】
上記アーム部６ａは、両端を固定した場合にたわむ（形状が変形する）ことができ、弾性を有するものであれば金属に限定されるものではない。また、アーム部６ａのホルダ１への取付け方法は、アーム部６ａがホルダ１に固定されるように取付けられれば特に限定されず、例えば、アーム部６ａをホルダ１にネジ止めする、接着剤や溶接等によって接合する等によって固定すればよい。さらに、上記アーム部６ａは、一端がホルダ１に固定され、他端に設けられたラック部６ｂがリードスクリュー３に係合した場合に変形することができる形状であればよく、棒状、薄板状、略「く」の字型等に湾曲した棒状又は薄板状、ねじり型形状等、特に限定されない。
【００３９】
上記ラック部６ｂは、リードスクリュー３の回転に伴って、リードスクリュー３表面を摺動するため、樹脂等の摺動性に優れた材料で形成されていることが好ましい。上記ラック部ｂの形状は、リードスクリュー３に対向し、該リードスクリュー３のネジ山及びネジ谷（以下、ネジ溝と総称する）に係合する係合部６ｃを有していれば特に限定されない。
【００４０】
上記の構成のアーム部材６は、上記ラック部６ｂが、所定の押圧荷重でリードスクリュー３を押圧するように、ホルダ１及びリードスクリュー３に取付けられる。つまり、アーム部６ａの形状を弾性的に変形させた状態で、ラック部６ｂの係合部６ｃをリードスクリュー３に係合させ、アーム部６ａが変形する前の状態である元の形状に復帰しようとする復帰力によって、ラック部６ｂをリードスクリュー３に押し当てる。より具体的には、ラック部６ｂが取付けられたアーム部６ａが元の形状に戻ろうとする方向に、リードスクリュー３を配置して、ラック部６ｂの係合部６ｃとリードスクリュー３のネジ溝とを係合させる。
【００４１】
これにより、上記ラック部６ｂは、アーム部６ａの形状が弾性的に変形することにより発生する、該アーム部６ａの変形した形状を元の形状に復帰させようとする復帰力によって、リードスクリュー３に係合することになる。
【００４２】
例えば、図１に示すように、自由状態にて、略「く」の字型の板ばねをアーム部６ａとして用いた場合、該板ばねの両端を押し広げるように、アーム部材６をホルダ１及びリードスクリュー３に取付ける。これにより、板ばねが元の形状に戻ろうとする復帰力が、図１中の矢印方向に作用し、ラック部６ｂがリードスクリュー３を押圧することができる。
【００４３】
上記のように、アーム部６ａの復帰力により、ラック部６ｂがリードスクリュー３に対して所定の押圧荷重を付与した状態で係合するので、アーム部６ａの弾性定数が小さい場合にも、ラック部６ｂとリードスクリュー３とを、押圧荷重を付与して係合させることができる。それゆえ、従来に比べて小さい弾性定数を有するアーム部６ａを用い、ホルダ１をディスク１０の径方向に移動させるために、ラック部６ｂがリードスクリュー３のネジ溝を摺動しても、ラック部６ｂがリードスクリュー３から離脱することを防止することができる。
【００４４】
また、詳細は後述するが、システム異常時の衝撃や振動等によって、リードスクリュー３とラック部６ｂとの係合状態が解除され、リードスクリュー３とラック部６ｂとが係合していない非係合状態で接触することになっても、アーム部６ａが小さい弾性定数を有していれば、ラック部６ｂがリードスクリュー３を押圧する際の押圧荷重が過剰になることはない。つまり、アーム部６ａの弾性定数が小さければ、リードスクリュー３とラック部６ｂとが係合状態から非係合状態へと変化した場合にも、押圧荷重をほぼ一定に保つことができるので、リードスクリュー３を押圧する押圧荷重が急激に増加することはない。
【００４５】
このように、リードスクリュー３とラック部６ｂとが接触している場合における、両者の係合状態と非係合状態とにおける押圧荷重の変化を低減すれば、リードスクリュー３とラック部６ｂとの間に生じる磨耗を抑制することができる。その結果、システム異常等により、リードスクリュー３とラック部６ｂとの係合状態が解除されても、リードスクリュー３のネジ山の潰れや、ラック部６ｂの磨耗等を防止することができる。
【００４６】
上記のように、アーム部材６は、アーム部６ａを変形させることによって生じる復帰力によって、リードスクリュー３とラック部６ｂとが係合するように、取付けられる。そのため、何らかの事情により、リードスクリュー３とラック部６ｂとの係合状態が解除されると、アーム部６ａが元の形状に復帰しようとして、ラック部６ｂが、リードスクリュー３との係合位置からずれ、リードスクリュー３とは接触しない位置に移動してしまうことがある。つまり、ラック部６ｂとリードスクリュー３との係合が外れ、ラック部６ｂがリードスクリュー３に接触しない状態（以下、アーム部６ａの自由状態と記載する）となることがある。
【００４７】
すなわち、例えば上記したように、略「く」の字型の板ばねからなるアーム部材６を用いた場合（図１）、リードスクリュー３とラック部６ｂとの係合状態では、両端を押し広げられて、アーム部材６がホルダ１及びリードスクリュー３に取付けられている。一方、アーム部材６が元の形状に復帰すると、アーム部６ａの一端がホルダ１に固定されているために、図４に示すように、リードスクリュー３とホルダ１との間にアーム部６ａが配置されることになる。その結果、アーム部６ａの他端に設けられたラック部６ｂが、リードスクリュー３とシャーシ８（図１）との間にもぐり込み、ラック部６ｂの係合部６ｃがリードスクリュー３に対向しない位置に配置されることになる。
【００４８】
このように、システム異常等による衝撃や振動といった事情により、リードスクリュー３とラック部６ｂとの係合状態が解除されると、該係合状態における両者の位置関係が反転し、ラック部６ｂが取付けられたアーム部６ａが元の形状に戻ろうとする方向に、リードスクリュー３が配置されなくなる場合がある。このような場合、ラック部６ｂの係合部６ｃがリードスクリュー３に対向しない位置に配置されるので、リードスクリュー３とラック部６ｂとを再び係合させることが困難となってしまう。
【００４９】
そこで、本実施の形態のピックアップ移動装置では、図１に示すように、規制部材７を設け、該規制部材７によってアーム部６ａの移動を規制している。すなわち、ラック部６ｂの係合部６ｃがリードスクリュー３と対向しない位置に移動しないように、規制部材７がアーム部材６の移動を規制している。言い換えれば、規制部材７は、アーム部６ａの、ラック部６ｂとリードスクリュー３とが係合するように該リードスクリュー３を押圧する方向への変位を規制している。
【００５０】
これにより、アーム部６ａが自由状態である場合に、ラック部６ｂのリードスクリュー３を押圧する方向への変位を規制することができる。つまり、規制部材７を設けることにより、アーム部６ａが自由状態となるような場合にも、ラック部６ｂの配置位置を規制することができる
上記規制部材７は、図１に示すように、板ばねからなるアーム部６ａを用いる場合には、該規制部材７の一端が、上記アーム部材６とホルダ１との間に挟み込まれ、他端にてアーム部材６の移動を規制するように、ホルダ１に取付ければよい。つまり、図１に示すピックアップ移動装置では、上記他端が、ホルダ１とリードスクリュー３との間に位置するように配置されることによって、リードスクリュー３とホルダ１との間にアーム部６ａが配置されることを防止している。これにより、アーム部６ａが元の形状に戻ろうとする際に生じる復帰力によって、図１中の矢印方向へアーム部６ａが移動することを、規制部材７によって抑制することができる。
【００５１】
上記規制部材７は、例えば、金属又は合成樹脂等の樹脂によって形成され、その形状は、特に限定されない。すなわち、アーム部６ａの自由状態に復帰しようとする復帰力に抗して、アーム部材６の移動を規制することができれば、規制部材の材質や形状は特に限定されず、また、ホルダ１への取付け方法も限定されない。
【００５２】
また、ホルダ１への規制部材７の取付け位置は、アーム部材６に対して、アーム部６ａが元の形状に復帰しようとする復帰力が作用する方向に取付けられればよい。さらに、規制部材７の、アーム部材６の移動を規制する上記他端は、リードスクリュー３とラック部６ｂとが非係合状態となっても、再び両者を係合状態への復帰が可能となるように、アーム部６ａの移動を許容し得る位置に設けられていることが好ましい。つまり、上記規制部材７は、アーム部６ａの復帰力に対して、アーム部材６の移動を所定範囲内に留めるように、ホルダ１に取付けられていればよい。
【００５３】
特に、上記規制部材７によってアーム部６ａの移動を、アーム部６ａが元の形状に復帰することなく形状が変形した状態が維持されるように、制限すれば、アーム部６ａの復帰力を確実に、リードスクリュー３に作用させることができる。これにより、ラック部６ｂが所定の押圧荷重を付与して、リードスクリュー３に係合することができる。さらに、規制部材７によって、アーム部６ａの形状を弾性的に変形させておくことができるので、ラック部６ｂの係合部６ｃをリードスクリュー３に係合させる作業を簡便に行うことができる。
【００５４】
また、ラック部６ｂとリードスクリュー３とが係合状態にある場合には、規制部材７の上記他端とアーム部材６とが接触しないように、規制部材７を設けることが好ましい。これにより、アーム部材６がリードスクリュー３を摺動しても、アーム部材６と規制部材７との間に摩擦が生じることはないので、該摩擦によるアーム部材６及び規制部材７の磨耗を防止することができる。
【００５５】
具体的には、上記規制部材７は、例えば、アーム部材６が取付けられた位置、あるいは、アーム部材６が取付けられた位置とは異なる位置に、固定ネジや接着剤、溶接等によって、ホルダ１に固定すればよい。また、上記規制部材７は、アーム部材６と一体的に設けられて、ホルダ１に固定されてもよい。規制部材７をアーム部材６と一体的にホルダ１に取付ける場合には、規制部材７とアーム部材６とを接着剤やスポット溶接等によって接合すればよい。あるいは、規制部材７は、ホルダ１と一体的に設けられてもよい。規制部材７とホルダ１とを一体化するためには、例えば、ホルダ１と規制部材７とを一体成型すればよい。
【００５６】
上記のように、規制部材７がアーム部材６と一体的に設けられていれば、アーム部材６をホルダ１に取付ける際に、ラック部６ｂの係合部６ｃをリードスクリュー３に対向させやすくなる。つまり、規制部材７がアーム部材６と一体的に設けられていれば、ラック部６ｂをリードスクリュー３に係合させるためにラック部６ｂを持ち上げる等の、アーム部６ａを変形させる作業を行う必要がない。それゆえ、ラック部６とリードスクリュー３とを係合させやすくなり、リードスクリュー３へのアーム部材６の取付け作業における作業性を向上することができる。
【００５７】
また、規制部材７がホルダ１と一体的に形成されていれば、規制部材を別途設ける必要がないため、部品点数の削減を図ることができる。
【００５８】
次に、上記構成のピックアップ移動装置の動作について説明する。上記ピックアップ移動装置では、モータ２が駆動すると、該モータ２の回転数をギアユニット４にて減少させる。具体的には、図２に示すように、モータ２の駆動力をモータ側ギア４ａに伝達して、該モータ側ギア４ａを回転させる。これにより、モータ側ギア４ａに係合したリードスクリュー側ギア４ｂが回転し、リードスクリュー３がモータ２の駆動力が伝達されて、リードスクリュー３が回転駆動する。
【００５９】
リードスクリュー３が回転駆動すると、リードスクリュー３に係合したアーム部材６のラック部６ｂが、リードスクリュー３のネジ溝に沿って摺動する。このとき、アーム部材６は、アーム部６ａの形状が弾性的に変形しており、アーム部６ａが元の形状に復帰しようとする復帰力によって、ラック部６ｂがリードスクリュー３を押圧している。そのため、リードスクリュー３のネジ山をラック部６ｂが乗り越える場合に、リードスクリュー３とラック部６ｂとの係合状態が解除されて、アーム部材６がリードスクリュー３から離脱することを防止することができる。
【００６０】
上記のように、ラック部６ｂがリードスクリュー３のネジ溝を摺動することにより、図３に示すように、アーム部材６がリードスクリュー３の軸方向に沿って移動する。この移動に伴って、ホルダ１が図２に示す１対のガイド軸９に案内されて移動し、ホルダ１に支持されたピックアップが、ディスクの径方向に移動する。このとき、ディスク１０はスピンドルモータ１１によって回転しているので、ディスク１０に対して上記ピックアップが追従して移動することになる。これにより、ディスク１０に対する情報の記録再生が行われる。なお、上記のホルダ１の移動に際して、リードスクリュー３と規制部材７とが接触することはない。
【００６１】
ところで、ホルダ１の移動時には、ピックアップ移動装置に衝撃や振動が加わる等のシステム異常に、ホルダ１とシャーシ８とが接触し、ラック部６ｂとリードスクリュー３との係合状態が解除されることがある。ラック部６ｂとリードスクリュー３との係合状態が解除されると、ホルダ１とリードスクリュー３との相対位置が変化し、形状が変化したアーム部６ａが元の形状に戻ろうとする方向とは逆方向に、さらにアーム部６ａがたわむ（形状が変形する）ことがある。このような、アーム部６ａのさらなるたわみは、ラック部６ｂがリードスクリュー３を押圧する際の押圧荷重が増加する原因となる。
【００６２】
しかしながら、このような場合にも、アーム部材６のアーム部６ａの弾性定数が小さければ、ラック部６ｂがリードスクリュー３を押圧する際の押圧荷重が急激に増加することはない。つまり、リードスクリュー３とラック部６ｂとが係合状態から非係合状態へと変化した場合にも、弾性定数の小さいアーム部６ａのたわみを利用すれば、係合状態と非係合状態とにおける押圧荷重の変化を抑制することができる。
【００６３】
すなわち、図５（ａ）（ｂ）に示すように、一般に、アーム部６ａのたわみ量の増加に伴って、ラック部６ｂがリードスクリュー３を押圧する際の押圧荷重は増加する。その一方で、比較的弾性定数の小さいアーム部６ａを用いた場合には、図５（ａ）に示すように、アーム部６ａのたわみ量の増加に伴う押圧荷重の増加は比較的小さく、押圧荷重をほぼ一定に保つことができる。これに対し、比較的弾性定数の大きいアーム部６ａを用いた場合には、図５（ｂ）に示すように、アーム部６ａのたわみ量の増加に伴う押圧荷重の増加は比較的大きい。
【００６４】
それゆえ、所望する押圧荷重が得られるように、所定の弾性定数を有する弾性材料でアーム部６ａを形成すれば、リードスクリュー３とラック部６ｂとを圧接させて係合させることができる。また、リードスクリュー３とラック部６ｂとの係合状態が解除された場合にも、ラック部６ｂがリードスクリュー３を過剰な押圧荷重にて押圧することを防止することができるので、リードスクリュー３のネジ山の潰れや、ラック部６ｂの磨耗等を防止することができる。
【００６５】
なお、本発明は、上記の実施の形態に限定されるものではなく、本発明の範囲内で種々の変更が可能である。例えば、上記実施の形態では、図１に示すように、ホルダ１及びリードスクリュー３のディスク１０に対向する側とは反対側の位置に、アーム部６ａの一端及び他端が取付けられているが、この取付け位置は逆であってもよい。
【００６６】
あるいは、アーム部６ａの一端をホルダ１のディスク１０に対向する側と反対側の位置に取付け、アーム部６ａの他端をリードスクリュー３のディスク１０に対向する側の位置に取付けてもよい。この場合、リードスクリュー３とホルダ１との間にアーム部材６が配置されることになり、アーム部６ａの両端が押し縮められるように形状を弾性的に変形させた際に生じる復帰力によって、ラック部６ｂがリードスクリュー３に押し当てられる。
【００６７】
上記のように、リードスクリュー３とホルダ１との間にアーム部材６が配置されるように、アーム部材６を取付ける場合、規制部材は、アーム部６ａの復帰力が作用する方向への上記アーム部６ａの移動を規制するように設けられる。すなわち、例えば、ホルダ１に固定されたアーム部６ａの一端上に規制部材が設け、ホルダ１と規制部材との間にアーム部材６が固定されるようにすればよい。
【００６８】
以上のように、本発明のピックアップ移動装置は、アーム部６ａの形状を弾性的に変形させることによって生じる復帰力を利用して、ラック部６ｂをリードスクリュー３に押圧するとともに、アーム部６ａの上記復帰力が作用する方向へのアーム部６ａの移動を規制する規制部材を有してなるものである。それゆえアーム部材６や規制部材の取付け位置は、上記実施の形態にて説明した取付け位置に限定されるものではない。
【００６９】
【発明の効果】
本発明のピックアップ移動装置は、以上のように、ラック部と送りネジ部材とが係合するように該送りネジ部材を押圧する方向への、アーム部の変位を規制する規制部材を有しているものである。
【００７０】
それゆえ、規制部材が、アーム部の復帰力が作用する方向への該アーム部の移動を規制して、ラック部の配置位置を規制しているので、ラック部の係合部が送りネジ部材と対向しない位置に移動することを防止することができるという効果を奏する。
【００７１】
また、本発明のピックアップ移動装置は、上記のピックアップ装置において、上記アーム部が自由状態となる場合の、上記ラック部の送りネジ部材を押圧する方向への変位を規制するものである。
【００７２】
それゆえ、ラック部と送りネジ部材との係合状態が解除された場合にも、ラック部の配置位置が規制ので、システム異常時等に、ラック部が送りネジ部材から離脱しても、再び、ラック部と送りネジ部材とを容易に係合させることができるという効果を奏する。
【００７３】
また、上記規制部材が、上記アーム部材に一体的に形成されてなっていれば、ラック部を送りネジ部材に、容易に対向させることが可能となるので、ラック部と送りネジ部材とを容易に係合させることができる。これにより、アーム部材の保持部材及び送りネジ部材への取付けにおける作業性を向上することができるという効果を奏する。
【００７４】
あるいは、上記規制部材は、上記保持部材に一体的に形成されてなっていてもよい。このように規制部材と保持部材とが一体化していれば、部品点数を削減することができるという効果を奏する。
【図面の簡単な説明】
【図１】本発明におけるピックアップ移動装置の要部を示す正面図である。
【図２】上記ピックアップ移動装置を示す上面図である。
【図３】上記ピックアップ移動装置の要部を示す上面図である。
【図４】規制部材を有していないピックアップ移動装置の要部を示す正面図である。
【図５】図１に示すピックアップ移動装置にて、ホルダが初期位置から図１中の矢印方向に移動した場合に、アーム部がリードスクリューに付与する押圧荷重の変化を示すグラフである。
【符号の説明】
１    ホルダ（保持部材）
２    モータ
３    リードスクリュー（送りネジ部材）
４    ギアユニット
４ａ  モータ側ギア
４ｂ  リードスクリュー側ギア
６    アーム部材
６ａ  アーム部
６ｂ  ラック部
６ｃ  係合部
７    規制部材
８    シャーシ
９    ガイド軸
１０    ディスク
１１    スピンドルモータ
【図１】
2004318936.tif 000003
【図２】
2004318936.tif 000004
【図３】
2004318936.tif 000005
【図４】
2004318936.tif 000006
【図５】
2004318936.tif 000007